(57)【要約】【課題】デジタルカメラとプリンタをダイレクト接続するシステムにおいて、ユーザーにより多くの情報を提供し、利便を向上させる。【解決手段】デジタルカメラとプリンタ双方にモニターを設けて両者に異なる表示を行う。【選択図】        図１
2004207926.tif 000002
【特許請求の範囲】
【請求項１】
撮影した画像や指令情報等を表示する表示手段と、前記表示手段を制御する制御手段と、前記各種指令情報を入力する入力手段と、前記画像を記憶する記憶手段と、前記画像及び各種指令情報の通信を行う通信手段と、を備えたデジタルカメラと、
前記デジタルカメラによって撮影された画像や指令情報などを表示する表示手段と、前記表示手段を制御する制御手段と、前記各種指令情報を入力する入力手段と、前記画像及び各種指令情報の通信を行う通信手段と、を備えた記録装置と、において、
前記デジタルカメラの表示装置と、前記記録装置の表示装置とで、両方同時に表示を行うことを特徴としたフォト記録システム。
【請求項２】
前記記録装置がインクジェット記録装置であることを特徴とした請求項１に記載のフォト記録システム。
【請求項３】
前記デジタルカメラの表示装置と、前記記録装置の表示装置とで、両方同時に異なる表示を行うことを特徴とした請求項２に記載のフォト記録システム。
【請求項４】
前記デジタルカメラの表示装置と、前記記録装置の表示装置とで、前記記憶手段によって記憶された複数の画像を一度にどちらか一方の表示装置に表示させ、かつ他方の前記表示装置には前記複数の画像のうち1つを表示させることを特徴とした請求項２に記載のフォト記録システム。
【請求項５】
前記デジタルカメラの表示装置と、前記記録装置の表示装置とで、前記記憶手段によって記憶された画像の１つをどちらか一方の表示装置に表示させ、かつ他方の前記表示装置には前記画像の一部を拡大した画像を表示させることを特徴とした請求項２に記載のフォト記録システム。
【請求項６】
前記一部拡大した画像の拡大部分のみを前記記録装置によって印刷することを特徴とした請求項４に記載のフォト記録システム。
【請求項７】
前記デジタルカメラの表示装置と、前記記録装置の表示装置とで、前記記憶手段によって記憶された画像の１つをどちらか一方の表示装置に表示させ、かつ他方の前記表示装置には前記画像の撮影日時や前記デジタルカメラの撮影時の条件、または前記画像のヒストグラムなどの画像情報を表示させることを特徴とした請求項２に記載のフォト記録システム。
【請求項８】
前記デジタルカメラの表示装置と、前記記録装置の表示装置とで、前記記憶手段によって記憶された画像の１つをどちらか一方の表示装置に表示させ、かつ他方の前記表示装置には前記画像を画像処理した結果の画像を表示させることを特徴とした請求項２に記載のフォト記録システム。
【請求項９】
前記デジタルカメラの表示装置と、前記記録装置の表示装置とで、前記デジタルカメラから前記記録装置へ、前記画像などの情報を転送している時に、前記デジタルカメラの表示装置には情報を送信している様子、前記記録装置の表示装置には情報を受信している様子を表示させることを特徴とした請求項２に記載のフォト記録システム。
【請求項１０】
前記デジタルカメラの表示装置と、前記記録装置の表示装置とで、前記デジタルカメラの異常情報、または前記記録装置の異常情報を、同時に両方に表示することを特徴とした請求項１に記載のフォト記録システム。
【請求項１１】
前記デジタルカメラの表示装置と、前記記録装置の表示装置とで、前記デジタルカメラの異常情報、または前記記録装置の異常情報を、前記異常情報をどちらか一方の前記表示装置に表示させ、かつ他方の前記表示装置には前記異常を正常に回復させるための手順を表示させることを特徴とした請求項２に記載のフォト記録システム。
【発明の詳細な説明】
【０００１】
【発明の属する技術分野】
本発明は、デジタルカメラによって撮影された画像をパーソナルコンピュータを介さずに取り込んで印刷するインクジェット記録システムに関する。
【０００２】
【従来の技術】
デジタルカメラの１つとして撮影レンズおよびCCD（Charge Coupled Device：固体撮像素子）と、撮影時におけるビューファインダーまたは撮影済み画像を表示するモニター兼用のLCD（Liquid Crystal Display：液晶表示装置）を備えたものが一般的になりつつある。
【０００３】
このようなデジタルカメラで撮影した画像を記録装置によって印刷する場合の手順を次から説明する。まずパーソナルコンピュータにおいて通信処理用のアプリケーションソフトウエアを起動し、デジタルカメラ内の記憶装置に記憶された画像データをパーソナルコンピュータに取り込む。次に画像処理用のアプリケーションソフトウエアを起動し、必要な時には取り込んだ画像に対して画像処理を行い、その画像をパーソナルコンピュータに接続されている記録装置へ出力し印刷を行う。
【０００４】
以上の手順を簡略化する方法としてパーソナルコンピュータを介さずにデジタルカメラで撮影した画像を記録装置で印刷する形態もあり次にその一例を示す。
【０００５】
デジタルカメラで撮影した画像をデジタルカメラ内の記憶装置に記憶し、その記憶装置が媒体としてデジタルカメラから取り出せ、その媒体を記録装置に設けられた記憶媒体挿入装置に装着することで、パーソナルコンピュータを介さずに画像データを記録装置に取り込むことを可能としたものがある。また、記録装置に操作スイッチと表示装置としてLCDとを備えることで画像処理や画像の確認、印刷の決定を行うことができるようにしたものもある。
【０００６】
またさらに以上の手順を簡略化する方法としては次のような例がある。
【０００７】
デジタルカメラと記録装置を専用または汎用の接続線を用いて接続し、その接続線を介してデジタルカメラに記憶された画像データを記録装置に直接取り込むことを可能とすることで、より簡単にデジタルカメラの画像を記録装置にて印刷できるようにしたものもある。
【０００８】
【発明が解決しようとする課題】
しかしながら上記従来例においては以下のような問題点があった。
【０００９】
デジタルカメラで撮影した画像を記録装置で直接印刷する際に、デジタルカメラに設けられているLCDを用いて印刷に必要な情報を表示させ、印刷時にのみ必要な操作スイッチは記録装置に設けているものもある。例えば、特開平10-13582である。しかしながらデジタルカメラは携帯性の点で大きさや重さの制約がありそれに伴ってデジタルカメラに設けられているLCDは画像を確認する上で十分な大きさではなかった。
【００１０】
そこで記録装置に画像を表示できるLCDを設けたものもあるが、そのLCDを使用している時はデジタルカメラのLCDは消灯していた。この場合では二つあるLCDが十分活用されているとは言えなかった。
【００１１】
【課題を解決するための手段】
本発明は以上のような問題に鑑みてなされたものであり、デジタルカメラの表示装置と記録装置の表示装置が設けられ、デジタルカメラと記録装置を双方向通信により接続し、デジタルカメラで撮影した画像を記録装置で直接印刷する際に、デジタルカメラの表示装置と記録装置の表示装置を同時に利用することで、より便利に使用者が画像を印刷できるインクジェット記録システムを提供することを目的とする。
【００１２】
【発明の実施の形態】
（実施例）
以下、図面を参照して本発明における第１実施例を具体的に説明する。
【００１３】
図１はデジタルカメラとインクジェット記録装置を接続線により接続した状態の全体図である。１はインクジェット記録装置、１１はインクジェット記録装置１に設けられたLCDなどの表示装置、１２はインクジェット記録装置１に設けられた操作部、１３はカバー、２はデジタルカメラ、２１はデジタルカメラ２に設けられたLCDなどの表示装置、２２はデジタルカメラ２に設けられた操作部、３はインクジェット記録装置１とデジタルカメラ２の間で双方向通信を行う接続線である。
【００１４】
図２はインクジェット記録装置１に設けられた表示装置１１及び操作部１２の拡大図である。１２１は印刷開始ボタン、１２２は印刷中止ボタン、１２３はモード選択ボタンで、それぞれ１２３ａは印刷設定モードボタン、１２３ｂはレイアウトモードボタン、１２３ｃは画像情報モードボタン、１２３ｄはメンテナンスモードボタンである。１２４は十字ボタンで、それぞれ１２４ａは上ボタン、１２４ｂは下ボタン、１２４ｃは左ボタン、１２４ｄは右ボタンである。
【００１５】
図３はデジタルカメラ２に設けられた表示装置２１及び操作部２２の拡大図である。２２１は決定ボタン、２２２は取り消しボタン、２２３はモード選択ボタン、２２４は十字ボタンで、それぞれ２２４ａは上ボタン、２２４ｂは下ボタン、２２４ｃは左ボタン、２２４ｄは右ボタン、また２３はシャッターボタン、２４はファインダである。
【００１６】
図４は表示装置１１と表示装置２１における、印刷設定モードの表示内容例を示した図である。
【００１７】
次から撮影済みのデジタルカメラとインクジェット記録装置を双方向通信によって接続して印刷する場合の手順の例を説明する。
【００１８】
図１のように、撮影済みのデジタルカメラ２を接続線３を介してインクジェット記録装置１と接続する。
【００１９】
この時、接続線３を用いるのではなく、無線による接続、例えばIEEE802.11規格やBlue tooth規格、IrDA規格等を利用して接続しても本発明の効果を得ることができる。
【００２０】
次に、表示装置１１と表示装置２１には図４のような印刷設定表示が同時に表示され、使用者にとって表示部の視認性及び操作部の操作性がよいと思われる任意の表示装置及び操作部を使用して、印刷設定を行う。この時の状態を印刷設定モードと言う。印刷設定モード時に表示装置１１と表示装置２１に表示される印刷設定表示は例えば、印刷する画像指定、印刷枚数、印刷する用紙種類、印刷するレイアウト、印刷の品位、日付印刷の有無、画像補正の有無、などである。使用者は表示に従って、インクジェット記録装置１に設けられた操作部１２の十字ボタン１２４またはデジタルカメラ２に設けられた操作部２２の十字ボタン２２４を用いて設定を順に行う。
【００２１】
このように第１実施例では表示装置１１と表示装置２１には常に同時に同じ表示がされているので、使用者はインクジェット記録装置１とデジタルカメラ２のうち視認性がよいと思う任意の操作部を使用することができ、使用者の利便を向上することができる。
【００２２】
印刷設定が終わった後に使用者はインクジェット記録装置１に設けられた印刷開始ボタン１２１、またはデジタルカメラ２に設けられた決定ボタン２２１を押すことで印刷開始の指示を送る。印刷開始の指示を受け、１枚または複数枚の指定された画像データがデジタルカメラ２からインクジェット記録装置１へ接続線３を介して取り込まれて、指定された画像がインクジェット記録装置１によって印刷される。
【００２３】
また、モード選択ボタン１２３のうちのレイアウトモードボタン１２３ｂを押すと、表示装置１１と表示装置２１は図６のような印刷イメージが表示され、画像情報モードボタン１２３ｃを押すと、表示装置１１と表示装置２１には図９のような表示がされ、メンテナンスボタン１２３ｄを押すとインクジェット記録装置１はメンテナンスモードに切り替わり、使用者が任意でインクジェット記録装置１のメンテナンスを行うことができる。ここで言うメンテナンスとは、インクジェット記録装置１の内部にある図示しないインク吐出口のクリーニングなどである。レイアウトモード及び画像情報モードについては後述の第２実施例で詳細に説明する。
【００２４】
また、デジタルカメラ２の操作部２２を用いてのモード切り替えは、モード選択ボタン２２３によって行い、モード選択ボタン２２３を押すたびに、印刷設定モード、レイアウトモード、画像情報モード、メンテナンスモードを順に切り替える。これは、デジタルカメラ２の携帯性を考慮してボタンの数を減らすことで操作部２２を小さくしデジタルカメラ２本体の大きさを小さくしている。
【００２５】
次に第２実施例として、表示装置１１と表示装置２１において両方同時に異なる表示を行う場合を説明する。
【００２６】
図５は表示装置１１と表示装置２１において画像を１枚選択した時の表示例である。
【００２７】
インクジェット記録装置１とデジタルカメラ２を接続線３を介して接続した後に、使用者は印刷設定モードによって印刷設定を行う。インクジェット記録装置１の表示装置１１には図４のように印刷設定表示が表示され、デジタルカメラ２の表示装置２１には図５のように選択している画像が表示される。これにより使用者は二つの表示装置を見ながら印刷設定を行うことができ、選択している画像を確認する為にわざわざ表示を切り替える必要がなく、使用者の利便を向上することができる。
【００２８】
ここで言う印刷設定とは、印刷する画像の指定、印刷枚数、印刷する用紙種類、印刷するレイアウト、印刷品位、日付印刷有無、画像補正有無、などである。印刷設定にはインクジェット記録装置１に設けられた操作部１２の十字ボタン１２４、またはデジタルカメラ２に設けられた操作部２２の十字ボタン２２４を用いて行う。また、表示装置１１と表示装置２１の表示が逆に表示されてもよい。
【００２９】
印刷設定が終わった後に使用者がインクジェット記録装置１に設けられた印刷開始ボタン１２１、またはデジタルカメラ２に設けられた決定ボタン２２１を押し、指定された画像データがデジタルカメラ２からインクジェット記録装置１へ接続線３を介して取り込まれ、指定された画像が印刷される。
【００３０】
ここから第２実施例における別のモードにおける表示例を説明する。
【００３１】
図６は表示装置１１または表示装置２１において画像を１枚選択した時の印刷イメージの表示例である。
【００３２】
図７は表示装置１１または表示装置２１において画像を２枚選択した時の印刷イメージの表示例である。
【００３３】
図８は表示装置１１または表示装置２１においてインデックスモード時の印刷イメージの表示例である。
【００３４】
使用者がモード選択ボタン１２３のうちのレイアウトモードボタン１２３ｂを押すことにより、片方の表示装置は図４のような印刷設定の表示がされ、他方の表示装置は図６、図７または図８のような表示に切り替わり、使用者は簡単に印刷イメージを確認することができる。印刷設定モードにて印刷レイアウトを１枚の用紙につき１枚の画像を印刷するレイアウトを選択している場合には図６のような表示になり、印刷レイアウトを１枚の用紙につき２枚の画像を印刷するレイアウトを選択している場合には図７のような表示になり、１枚の用紙に多数の画像を印刷するインデックスレイアウトを選択している場合には図８のような表示になる。つまり、使用者は印刷設定表示と印刷イメージ表示を同時に確認することができ、誤った画像を選択してしまうことや、誤った印刷レイアウトで印刷してしまうことを防ぐことができる。
【００３５】
またこの時、右ボタン１２４ｄを押すと選択画像が順送りされ、左ボタン１２４ｃを押すと逆順送りされてもよい。さらに、上ボタン１２４ａと下ボタン１２４ｂを用いて印刷レイアウトの変更ができてもよい。または上ボタン１２４ａと下ボタン１２４ｂを用いて画像の選択、右ボタン１２４ｄと左ボタン１２４ｃを用いて印刷レイアウトの変更ができてもよい。
【００３６】
図９は表示装置１１または表示装置２１における画像情報モード時の表示例である。
【００３７】
使用者がモード選択ボタン１２３のうちの画像情報モードボタン１２３ｃを押すことにより、片方の表示装置には図５のような選択中の画像が表示され、他方の表示装置には図９のような画像情報が表示される。画像情報とは、例えば、選択した画像のファイル名、撮影したデジタルカメラの機種名、撮影した日時、撮影した撮影モード、シャッター速度、絞り数値、ストロボの有無、画像の大きさ、容量、印刷指定の有無、画像の明るさを表すヒストグラム等の情報である。これにより、選択画像の表示とその画像の情報を同時に使用者は確認することができ、使用者の利便が向上する。
【００３８】
図１０は表示装置１１または表示装置２１においてトリミング操作時の表示例である。
【００３９】
図１１は表示装置１１または表示装置２１においてトリミング操作時の印刷イメージの表示例である。
【００４０】
インクジェット記録装置１及びデジタルカメラ２は画像の一部を切り抜くトリミング機能を有していてもよい。使用者が任意の画像を選択した後に、図示しないトリミングモードボタンを押すと、片方の表示装置には図１０のように選択している画像に枠が表れ、他方の表示装置には図１１のようにその枠内の画像が拡大されて表示される。枠の大きさや位置、向きなどは操作部１２または操作部２２によって可能である。使用者はトリミングしたい部分を枠によって指定した後に、使用者がインクジェット記録装置１に設けられた印刷開始ボタン１２１、またはデジタルカメラ２に設けられた決定ボタン２２１を押すと、指定された部分だけの画像データがデジタルカメラ２からインクジェット記録装置１へ取り込まれて、指定された部分だけの画像が印刷される。
【００４１】
これにより、使用者はトリミング前の画像全体の表示と、トリミング後の画像の拡大表示を同時に確認することができ、トリミング作業における作業性が向上される。
【００４２】
図１２は表示装置２１において画像データを記録装置へ送信中の表示例である。
【００４３】
図１３は表示装置１１において画像データをデジタルカメラから受信中の表示例である。
【００４４】
使用者がインクジェット記録装置１に設けられた印刷開始ボタン１２１、またはデジタルカメラ２に設けられた決定ボタン２２１を押すと、デジタルカメラ２に記憶されている１枚または複数枚の画像データがインクジェット記録装置１に転送される。複数枚の画像データを転送している時に、デジタルカメラ２の表示装置２１には図１２のような表示、インクジェット記録装置１の表示装置１１には図１３のような表示を行う。また、１枚のみ転送している場合には、図１４または図１５二様に１枚の画像が徐々に転送されている様子を表示する。これにより転送中の時間が長時間に及ぶ場合でも、使用者は画像転送の様子が視覚的に確認でき安心できる。
【００４５】
図１６は表示装置１１または表示装置２１において記録装置のエラー発生時の表示例である。
【００４６】
図１７は表示装置１１または表示装置２１において記録装置のエラーを回復させる手順を表示した例である。
【００４７】
インクジェット記録装置１によって印刷を行っている最中にインクジェット記録装置１にエラーが発生した場合、特にここでは印刷に用いているインク切れが発生した場合を説明する。このような場合、片方の表示装置に図１６のようにインク切れエラーが発生したことを使用者に通知するとともに、他方の表示装置には図１７のようにインク切れエラーの復帰方法、つまりカバー１３を開けてインク交換する手順を表示する。これにより、使用者はインクジェット記録装置１に発生したエラー内容と復帰方法を同時に確認することができ、使用者の利便が向上する。
【００４８】
図１８は表示装置１１と表示装置２１において記録装置のエラー発生時の表示例である。
【００４９】
デジタルカメラ２においてエラーが発生した場合、特にここではデジタルカメラ２に内蔵された図示しない電力供給手段からの電力供給量が低下した場合を説明する。このような場合、片方の表示装置に図１８のようにデジタルカメラ２内部のバッテリー電力が低下しエラーが発生したことを使用者に通知するとともに、他方の表示装置には図示しないエラーからの復帰方法、つまりバッテリー交換手順を表示する。
【００５０】
これにより、使用者はデジタルカメラ２に発生したエラー内容と復帰方法を同時に確認することができ、使用者の利便が向上する。また、デジタルカメラ２の電力供給量が著しく減少し、デジタルカメラ２の表示装置２１での表示ができない場合は、インクジェット記録装置１の表示装置１１にエラー内容と復帰方法を交互または同時に表示してもよい。
【００５１】
以上、インクジェット記録装置１の操作部１２とデジタルカメラ１の操作部２２が設けてある場合を説明してきたが、どちらか片方のみ操作部が設けられている場合においても、２つの表示装置が設けてあることにより本発明は十分効果を得ることができる。
【００５２】
【発明の効果】
以上の説明のように、本発明においては以下のような効果が得られる。
【００５３】
デジタルカメラと記録装置を双方向通信により接続し、デジタルカメラに記憶された画像を記録装置によって印刷する時に、デジタルカメラに設けられた表示装置と記録装置に設けられた表示装置を同時に利用することで使用者により多くの情報を通知することが可能となり、使用者の利便が向上する。
【図面の簡単な説明】
【図１】本発明の全体構成を示す全体図である。
【図２】本発明の記録装置の表示装置及び操作部の拡大図である。
【図３】本発明のデジタルカメラの表示装置及び操作部の拡大図である。
【図４】本発明の印刷設定表示例である。
【図５】本発明の画像選択時の表示例である。
【図６】本発明の１枚選択時の印刷イメージの表示例である。
【図７】本発明の２枚選択時の印刷イメージの表示例である。
【図８】本発明のインデックス印刷時の印刷イメージの表示例である。
【図９】本発明の画像情報の表示例である。
【図１０】本発明のトリミング操作時の表示例である。
【図１１】本発明のトリミング操作時の印刷イメージの表示例である。
【図１２】本発明の複数枚画像転送時のデジタルカメラの表示例である。
【図１３】本発明の複数枚画像転送時の記録装置の表示例である。
【図１４】本発明の１枚画像転送時のデジタルカメラの表示例である。
【図１５】本発明の１枚画像転送時の記録装置の表示例である。
【図１６】本発明の記録装置のエラー発生の表示例である。
【図１７】本発明の記録装置エラーを回復する手順を示す表示例である。
【図１８】本発明のデジタルカメラのエラー発生の表示例である。
【符号の説明】
１        インクジェット記録装置
１１      インクジェット記録装置の表示装置
１２      インクジェット記録装置の表示装置
２        デジタルカメラ
２１      デジタルカメラの表示部
２２      デジタルカメラの操作部
３        接続線
【図１】
2004207926.tif 000003
【図２】
2004207926.tif 000004
【図３】
2004207926.tif 000005
【図４】
2004207926.tif 000006
【図５】
2004207926.tif 000007
【図６】
2004207926.tif 000008
【図７】
2004207926.tif 000009
【図８】
2004207926.tif 000010
【図９】
2004207926.tif 000011
【図１０】
2004207926.tif 000012
【図１１】
2004207926.tif 000013
【図１２】
2004207926.tif 000014
【図１３】
2004207926.tif 000015
【図１４】
2004207926.tif 000016
【図１５】
2004207926.tif 000017
【図１６】
2004207926.tif 000018
【図１７】
2004207926.tif 000019
【図１８】
2004207926.tif 000020